(57)【特許請求の範囲】
【請求項１】
広帯域無線通信システムにおいてスーパーフレームヘッダ（ＳＦＨ）で送信されるシステム情報を更新する方法であって、
基地局からスーパーフレームにより前記ＳＦＨを受信する段階であって、前記受信するＳＦＨが、プライマリスーパーフレームヘッダの情報要素（Ｐ−ＳＦＨＩＥ）及び少なくとも１つのセカンダリスーパーフレームヘッダのサブパケットの情報要素（Ｓ−ＳＦＨ ＳＰ ＩＥ）を含み、前記Ｐ−ＳＦＨ ＩＥが、前記スーパーフレームにおいてスケジューリングされる少なくとも１つのＳ−ＳＦＨＳＰ ＩＥを示すスケジューリング情報ビットマップ、前記Ｓ−ＳＦＨの変更カウント（ＣＣ）、及び前記少なくとも１つのＳ−ＳＦＨ ＳＰ ＩＥの変更状態を示すＳＰ変更ビットマップを含む、段階と、
前記受信したＳ−ＳＦＨのＣＣと予め保存された最新のＳ−ＳＦＨのＣＣとを比較する段階と、
前記比較の結果に基づいて、前記少なくとも１つのＳ−ＳＦＨＳＰ ＩＥの復号化及び更新を行うか否かを決定する段階と
を含むことを特徴とするシステム情報更新方法。
【請求項２】
前記受信したＳ−ＳＦＨのＣＣ及び前記Ｓ−ＳＦＨのＳＰ変更ビットマップを保存する段階をさらに含むことを特徴とする請求項１に記載のシステム情報更新方法。
【請求項３】
前記比較の結果に基づいて、前記受信したＳ−ＳＦＨのＣＣの値と前記予め保存された最新のＳ−ＳＦＨのＣＣの値に差がない場合、前記少なくとも１つのＳ−ＳＦＨＳＰ ＩＥの復号化及び更新を行わないことを特徴とする請求項１に記載のシステム情報更新方法。
【請求項４】
前記比較の結果に基づいて、前記受信したＳ−ＳＦＨのＣＣの値と前記予め保存された最新のＳ−ＳＦＨのＣＣの値の差が１である場合、前記Ｓ−ＳＦＨのＳＰ変更ビットマップにおいて値が１に設定されたビットに該当するＳ−ＳＦＨＳＰ ＩＥの復号化及び更新を行うことを特徴とする請求項１に記載のシステム情報更新方法。
【請求項５】
前記比較の結果に基づいて、前記受信したＳ−ＳＦＨのＣＣの値と前記予め保存された最新のＳ−ＳＦＨのＣＣの値の差が１より大きい場合、前記少なくとも１つのＳ−ＳＦＨＳＰ ＩＥの全ての復号化及び更新を行うことを特徴とする請求項１に記載のシステム情報更新方法。
【請求項６】
前記Ｓ−ＳＦＨが３つのＳＰ ＩＥを含み、前記ＳＰ変更ビットマップが前記３つのＳＰＩＥの変更状態をそれぞれ示す３つのビットを含み、
前記ＳＰ ＩＥのいずれかの値が変更された場合、前記ＳＰ変更ビットマップにおける対応位置のビットがトグルされるか又は１に設定されることを特徴とする請求項１に記載のシステム情報更新方法。
【請求項７】
前記３つのＳＰ ＩＥが、Ｓ−ＳＦＨ ＳＰ １ＩＥ、Ｓ−ＳＦＨ ＳＰ ２ ＩＥ、Ｓ−ＳＦＨ ＳＰ ３ ＩＥであることを特徴とする請求項６に記載のシステム情報更新方法。
【請求項８】
前記３つのＳＰ ＩＥが、異なる送信周期を有し、前記３つのＳＰＩＥのスケジューリング周期情報が、前記Ｓ−ＳＦＨ ＳＰ ３ ＩＥで送信されることを特徴とする請求項７に記載のシステム情報更新方法。
【請求項９】
前記Ｓ−ＳＦＨのＣＣは、前記少なくとも１つのＳ−ＳＦＨＳＰ ＩＥのいずれかの値が変更される毎に、１６を法として１増加することを特徴とする請求項１に記載のシステム情報更新方法。
【請求項１０】
広帯域無線通信システムにおいてスーパーフレームヘッダ（ＳＦＨ）で送信されるシステム情報を更新する装置であって、
メモリと、
基地局からスーパーフレームにより前記ＳＦＨを受信する受信機であって、前記受信するＳＦＨが、プライマリスーパーフレームヘッダの情報要素（Ｐ−ＳＦＨＩＥ）及び少なくとも１つのセカンダリスーパーフレームヘッダのサブパケットの情報要素（Ｓ−ＳＦＨ ＳＰ ＩＥ）を含み、前記Ｐ−ＳＦＨ ＩＥが、前記スーパーフレームにおいてスケジューリングされる少なくとも１つのＳ−ＳＦＨＳＰ ＩＥを示すスケジューリング情報ビットマップ、前記Ｓ−ＳＦＨの変更カウント（ＣＣ）、及び前記少なくとも１つのＳ−ＳＦＨ ＳＰ ＩＥの変更状態を示すＳＰ変更ビットマップを含む、受信機と、
前記受信機及び前記メモリに接続される制御装置とを含み、
前記制御装置は、前記受信したＳ−ＳＦＨのＣＣと予め保存された最新のＳ−ＳＦＨのＣＣとを比較し、前記比較の結果に基づいて、前記少なくとも１つのＳ−ＳＦＨＳＰ ＩＥの復号化及び更新を行うか否かを決定することを特徴とするシステム情報更新装置。
【請求項１１】
前記Ｓ−ＳＦＨのＣＣは、前記少なくとも１つのＳ−ＳＦＨＳＰ ＩＥのいずれかの値が変更される毎に、１６を法として１増加することを特徴とする請求項１０に記載のシステム情報更新装置。
【請求項１２】
前記Ｓ−ＳＦＨが３つのＳＰ ＩＥを含み、前記ＳＰ変更ビットマップが前記３つのＳＰＩＥの変更状態をそれぞれ示す３つのビットを含み、
前記ＳＰ ＩＥのいずれかの値が変更された場合、前記ＳＰ変更ビットマップにおける対応位置のビットがトグルされるか又は１に設定されることを特徴とする請求項１０に記載のシステム情報更新装置。
【請求項１３】
前記３つのＳＰ ＩＥが、Ｓ−ＳＦＨ ＳＰ １ＩＥ、Ｓ−ＳＦＨ ＳＰ ２ ＩＥ、Ｓ−ＳＦＨ ＳＰ ３ ＩＥであり、
前記制御装置が、異なる送信周期を有する前記３つのＳＰＩＥを前記基地局から受信するように、前記受信機を制御し、
前記３つのＳＰ ＩＥのスケジューリング周期情報が、前記Ｓ−ＳＦＨＳＰ ３ ＩＥで送信されることを特徴とする請求項１２に記載のシステム情報更新装置。
【請求項１４】
前記制御装置は、前記比較の結果に基づいて、前記受信したＳ−ＳＦＨのＣＣの値と前記予め保存された最新のＳ−ＳＦＨのＣＣの値の差が１である場合、前記Ｓ−ＳＦＨのＳＰ変更ビットマップにおいて値が１に設定されたビットに該当するＳ−ＳＦＨＳＰ ＩＥの復号化及び更新を行うように制御することを特徴とする請求項１０に記載のシステム情報更新装置。
【請求項１５】
前記制御装置は、前記比較の結果に基づいて、前記受信したＳ−ＳＦＨのＣＣの値と前記予め保存された最新のＳ−ＳＦＨのＣＣの値の差が１より大きい場合、前記少なくとも１つのＳ−ＳＦＨＳＰ ＩＥの全ての復号化及び更新を行うことを特徴とする請求項１０に記載のシステム情報更新装置。
【発明の詳細な説明】
【技術分野】
【０００１】
本発明は、広帯域無線通信システムにおけるシステム情報更新に関し、特に、スーパーフレームヘッダ（ｓｕｐｅｒｆｒａｍｅ  ｈｅａｄｅｒ）で伝達されるシステム情報の更新方法及び装置に関する。
【背景技術】
【０００２】
広帯域無線通信システムにおける基地局と端末間の通信のためには、通信に必須のシステム情報を基地局から端末に送信しなければならない。基地局は、端末との通信に必須のシステム情報をスーパーフレームヘッダ（ＳＦＨ）で伝達し、付加的なシステム情報はブロードキャストメッセージにより送信することができる。
【０００３】
前記システム情報のうち、ＳＦＨで伝達される必須のシステム情報は、基地局と端末間の持続的な通信のために周期的に更新されなければならず、端末は、基地局から送信される必須のシステム情報が変更されたか否かを周期的に確認して復号化及び更新を行わなければならない。
【０００４】
しかしながら、システム情報が変更されていない場合も端末がＳＦＨなどで伝達されるシステム情報を常に復号化及び更新すると、端末の電力は不要に消費される。特に、スリープモード又はアイドルモードにある端末がＳＦＨで伝達されるシステム情報を復号化及び更新する場合、端末の電力消費の面で非効率的である。
【０００５】
そこで、端末の電力消費を抑えるために、より効率的なシステム情報更新方法が求められている。
【発明の概要】
【発明が解決しようとする課題】
【０００６】
本発明の目的は、端末が不要なシステム情報の復号化を行わないようにして電力消費を抑える効率的なシステム情報更新方法及び装置を提供することにある。
【課題を解決するための手段】
【０００７】
これら及び他の利点を実現して上記本発明の目的を達成するために、本明細書に具体化されかつ広く記載されているように、本発明は、スーパーフレームによりデータを送受信する広帯域無線通信システムにおけるシステム情報更新方法を提供し、前記方法は、プライマリスーパーフレームヘッダ（Ｐ−ＳＦＨ）及びセカンダリスーパーフレームヘッダ（Ｓ−ＳＦＨ）を含むスーパーフレームにより、前記Ｐ−ＳＦＨの情報要素（ｉｎｆｏｒｍａｔｉｏｎ  ｅｌｅｍｅｎｔ；  ＩＥ）（Ｐ−ＳＦＨ  ＩＥ）で送信される制御情報及び少なくとも１つの前記Ｓ−ＳＦＨのサブパケット（ｓｕｂｐａｃｋｅｔ；  ＳＰ）の情報要素（Ｓ−ＳＦＨ  ＳＰ  ＩＥ）で送信されるシステム情報を含む情報を、基地局から受信する段階と、前記スーパーフレームにおいて送信されたＳ−ＳＦＨ  ＳＰ  ＩＥを示すスケジューリング情報ビットマップ、前記Ｓ−ＳＦＨの変更カウント（ｃｈａｎｇｅ  ｃｏｕｎｔ；  ＣＣ）、及び前記Ｓ−ＳＦＨ  ＳＰ  ＩＥの変更状態を示すＳＰ変更ビットマップを含む前記Ｐ−ＳＦＨ  ＩＥを復号化する段階と、前記受信したＣＣと予め保存されたＣＣとを比較する段階と、前記受信したＣＣと前記保存されたＣＣ間に差がある場合、前記Ｓ−ＳＦＨのＳＰ変更ビットマップを確認する段階と、前記確認の結果に基づいて、前記Ｓ−ＳＦＨの該当ＳＰ  ＩＥを復号化及び更新する段階とを含むことを特徴とする。
【０００８】
例示的な一実施形態によれば、前記方法は、前記受信したＣＣ及び前記Ｓ−ＳＦＨのＳＰ変更ビットマップを保存する段階をさらに含むことを特徴とする。
【０００９】
他の実施形態によれば、前記ＳＰ変更ビットマップを確認する段階では、前記ＳＰ変更ビットマップと予め保存されたＳＰ変更ビットマップとを比較することにより、前記保存されたＳＰ変更ビットマップのトグルされたビットの数を確認し、前記トグルされたビットの数が前記受信したＣＣと前記保存されたＣＣ間の差と等しい場合、前記復号化及び更新する該当ＳＰ  ＩＥは、前記ＳＰ変更ビットマップのビットがトグルされたＳＰ  ＩＥであることを特徴とする。
【００１０】
さらに他の実施形態によれば、前記ＳＰ変更ビットマップを確認する段階では、値が１に設定されたビットの数を確認し、前記値が１に設定されたビットの数が前記受信したＣＣと前記保存されたＣＣ間の差と等しい場合、前記復号化及び更新する該当ＳＰ  ＩＥは、前記ＳＰ変更ビットマップのビットが１に設定されたＳＰ  ＩＥであることを特徴とする。
【００１１】
さらに他の実施形態によれば、前記ＳＰ変更ビットマップを確認する段階では、前記ＳＰ変更ビットマップと予め保存されたＳＰ変更ビットマップとを比較することにより、前記保存されたＳＰ変更ビットマップのトグルされたビットの数を確認し、前記トグルされたビットの数が前記受信したＣＣと前記保存されたＣＣ間の差値と異なる場合、前記復号化及び更新する該当ＳＰ  ＩＥは、前記受信した全てのＳＰ  ＩＥであることを特徴とする。
【００１２】
さらに他の実施形態によれば、前記Ｓ−ＳＦＨが３つのＳＰ  ＩＥを含み、前記ＳＰ変更ビットマップが前記３つのＳＰ  ＩＥの変更状態をそれぞれ示す３つのビットを含み、前記ＳＰ  ＩＥのいずれかの値が変更された場合、前記ＳＰ変更ビットマップにおける対応位置のビットがトグルされるか又は１に設定されることを特徴とする。
【００１３】
さらに他の実施形態によれば、前記Ｓ−ＳＦＨが、異なる送信周期を有する３つのＳＰ  ＩＥを含み、前記基地局のスケジューリングにより送信され、前記３つのＳＰ  ＩＥのスケジューリング周期情報が、特定のＳＰ  ＩＥで送信されることを特徴とする。
【００１４】
さらに他の実施形態によれば、前記Ｓ−ＳＦＨが、異なる送信周期を有する３つのＳＰ  ＩＥを含み、前記基地局のスケジューリングにより送信され、前記３つのＳＰ  ＩＥのスケジューリング周期情報が、ＭＡＣ（Ｍｅｄｉｕｍ  Ａｃｃｅｓｓ  Ｃｏｎｔｒｏｌ）管理メッセージにより送信されることを特徴とする。
【００１５】
さらに他の実施形態によれば、前記Ｓ−ＳＦＨのＣＣは、前記ＳＰ  ＩＥのいずれかの値が変更される毎に、１６を法として１増加することを特徴とする。
【００１６】
また、上記目的を達成するために、本発明は、スーパーフレームによりデータを送受信する広帯域無線通信システムにおけるシステム情報更新装置を提供し、前記装置は、プライマリスーパーフレームヘッダ（Ｐ−ＳＦＨ）及びセカンダリスーパーフレームヘッダ（Ｓ−ＳＦＨ）を含むスーパーフレームにより、前記Ｐ−ＳＦＨの情報要素（Ｐ−ＳＦＨ  ＩＥ）で送信される制御情報及び少なくとも１つの前記Ｓ−ＳＦＨのサブパケットの情報要素（Ｓ−ＳＦＨ  ＳＰ  ＩＥ）で送信されるシステム情報を含む情報を、基地局から受信する受信機と、前記スーパーフレームにおいて送信されたＳ−ＳＦＨ  ＳＰ  ＩＥを示すスケジューリング情報及び前記Ｓ−ＳＦＨ  ＳＰ  ＩＥにおいて前記システム情報の変更状態を示す変更情報を含む前記Ｐ−ＳＦＨ  ＩＥを復号化する復号器と、前記変更情報を保存するメモリと、前記変更情報に基づいて前記システム情報が変更されたか否かを確認し、前記システム情報を復号化及び更新する制御装置とを含むことを特徴とする。
【００１７】
例示的な一実施形態によれば、前記変更情報は、前記Ｓ−ＳＦＨ  ＳＰ  ＩＥのいずれかの値が変更される毎に１６を法として１増加する変更カウント、及び前記Ｓ−ＳＦＨ  ＳＰ  ＩＥの変更状態をそれぞれ示す変更ビットマップを含むことを特徴とする。
【００１８】
前記Ｓ−ＳＦＨ  ＳＰ  ＩＥが３つのＳＰ  ＩＥを含み、前記変更ビットマップが前記３つのＳＰ  ＩＥの変更状態をそれぞれ示す３つのビットを含み、前記Ｓ−ＳＦＨ  ＳＰ  ＩＥのいずれかの値が変更された場合、前記変更ビットマップにおける対応位置のビットがトグルされるか又は１に設定されることを特徴とする。
【００１９】
他の実施形態によれば、前記制御装置の確認動作では、前記受信した変更ビットマップと前記メモリに保存された変更ビットマップとを比較することにより、トグルされたビットの数を確認するか、又は値が１に設定されたビットの数を確認し、前記トグルされたビットの数又は前記値が１に設定されたビットの数が前記受信した変更カウントと前記メモリに予め保存された変更カウント間の差と等しい場合、前記制御装置は、前記変更ビットマップのビットがトグルされるか又は１に設定された前記Ｓ−ＳＦＨの該当ＳＰ  ＩＥを復号化及び更新することを特徴とする。
【００２０】
さらに、上記目的を達成するために、本発明は、プライマリスーパーフレームヘッダ（Ｐ−ＳＦＨ）及びセカンダリスーパーフレームヘッダ（Ｓ−ＳＦＨ）を含むスーパーフレームによりデータを送受信する広帯域無線通信システムにおけるシステム情報更新方法を提供し、前記方法は、前記受信したスーパーフレームにおいて、スケジューリング情報ビットマップ、変更カウント、及び前記Ｓ−ＳＦＨのサブパケット（ＳＰ）変更ビットマップを含むＰ−ＳＦＨ情報要素（ＩＥ）を符号化する段階と、前記符号化されたＰ−ＳＦＨ情報要素を含むスーパーフレームをスーパーフレームを単位として（各スーパーフレーム単位で）送信する段階と、Ｓ−ＳＦＨサブパケット情報要素が変更された場合、前記Ｓ−ＳＦＨの変更カウントを前記Ｓ−ＳＦＨサブパケットが変更される毎に１増加するように変更し、前記Ｓ−ＳＦＨサブパケット変更ビットマップを変更された特定のサブパケットに対応する特定の位置のビットがトグルされるように変更し、前記変更されたＳ−ＳＦＨの変更カウント及びサブパケット変更ビットマップを含む前記Ｐ−ＳＦＨ情報要素と前記変更されたＳ−ＳＦＨサブパケットを送信する段階とを含むことを特徴とする。
【００２１】
さらに、上記目的を達成するために、本発明は、スーパーフレームによりデータを送受信する広帯域無線通信システムにおけるシステム情報更新装置を提供し、前記装置は、制御情報及びシステム情報を含む情報を符号化する符号器と、前記システム情報のいずれかの値が変更される毎に、前記変更情報を変更する制御装置と、プライマリスーパーフレームヘッダ（Ｐ−ＳＦＨ）及びセカンダリスーパーフレームヘッダ（Ｓ−ＳＦＨ）を含むスーパーフレームにより前記情報を送信する送信機とを含み、前記制御情報が、送信されたシステム情報を示すスケジューリング情報と、前記システム情報の変更状態を示す変更情報とを含み、前記制御情報が、前記Ｐ−ＳＦＨで送信され、前記システム情報が、少なくとも１つの前記Ｓ−ＳＦＨのサブパケット（ＳＰ）で送信されることを特徴とする。
【００２２】
例示的な一実施形態によれば、前記Ｓ−ＳＦＨのＳＰが３つのＳＰを含み、前記変更情報は、前記ＳＦＨのＳＰのいずれかの値が変更される毎に１６を法として１増加する変更カウント、及び前記ＳＰの変更状態をそれぞれ示す変更ビットマップを含み、前記ＳＰのいずれかの値が変更された場合、前記変更ビットマップにおける対応位置のビットがトグルされるか又は１に設定されることを特徴とする。
【００２３】
本発明の前述及び他の目的、特徴、態様、利点は、後述する発明の詳細な説明及び添付図面によりさらに明確になるであろう。
（項目１）
スーパーフレームによりデータを送信する広帯域無線通信システムにおけるシステム情報更新方法において、
プライマリスーパーフレームヘッダ（Ｐ−ＳＦＨ）及びセカンダリスーパーフレームヘッダ（Ｓ−ＳＦＨ）を含むスーパーフレームにより、前記Ｐ−ＳＦＨの情報要素（Ｐ−ＳＦＨ  ＩＥ）で送信される制御情報及び少なくとも１つの前記Ｓ−ＳＦＨのサブパケットの情報要素（Ｓ−ＳＦＨ  ＳＰ  ＩＥ）で送信されるシステム情報を含む情報を、基地局から受信する段階と、
前記スーパーフレームにおいて送信されたＳ−ＳＦＨ  ＳＰ  ＩＥを示すスケジューリング情報ビットマップ、前記Ｓ−ＳＦＨの変更カウント（ＣＣ）、及び前記Ｓ−ＳＦＨ  ＳＰ  ＩＥの変更状態を示すＳＰ変更ビットマップを含む前記Ｐ−ＳＦＨ  ＩＥを復号化する段階と、
前記受信したＣＣと予め保存されたＣＣとを比較する段階と、
前記受信したＣＣと前記保存されたＣＣ間に差がある場合、前記Ｓ−ＳＦＨのＳＰ変更ビットマップを確認する段階と、
前記確認の結果に基づいて、前記Ｓ−ＳＦＨの該当ＳＰ  ＩＥを復号化及び更新する段階と
を含むことを特徴とするシステム情報更新方法。
（項目２）
前記受信したＣＣ及び前記Ｓ−ＳＦＨのＳＰ変更ビットマップを保存する段階をさらに含むことを特徴とする項目１に記載のシステム情報更新方法。
（項目３）
前記ＳＰ変更ビットマップを確認する段階では、前記ＳＰ変更ビットマップと予め保存されたＳＰ変更ビットマップとを比較することにより、前記保存されたＳＰ変更ビットマップのトグルされたビットの数を確認し、
前記トグルされたビットの数が前記受信したＣＣと前記保存されたＣＣ間の差と等しい場合、前記復号化及び更新する該当ＳＰ  ＩＥが、前記ＳＰ変更ビットマップのビットがトグルされたＳＰ  ＩＥであることを特徴とする項目１に記載のシステム情報更新方法。
（項目４）
前記ＳＰ変更ビットマップを確認する段階では、値が１に設定されたビットの数を確認し、
前記値が１に設定されたビットの数が前記受信したＣＣと前記保存されたＣＣ間の差と等しい場合、前記復号化及び更新する該当ＳＰ  ＩＥが、前記ＳＰ変更ビットマップのビットが１に設定されたＳＰ  ＩＥであることを特徴とする項目１に記載のシステム情報更新方法。
（項目５）
前記ＳＰ変更ビットマップを確認する段階では、前記ＳＰ変更ビットマップと予め保存されたＳＰ変更ビットマップとを比較することにより、前記保存されたＳＰ変更ビットマップのトグルされたビットの数を確認し、
前記トグルされたビットの数が前記受信したＣＣと前記保存されたＣＣ間の差値と異なる場合、前記復号化及び更新する該当ＳＰ  ＩＥが、前記受信した全てのＳＰ  ＩＥであることを特徴とする項目１に記載のシステム情報更新方法。
（項目６）
前記Ｓ−ＳＦＨが３つのＳＰ  ＩＥを含み、前記ＳＰ変更ビットマップが前記３つのＳＰ  ＩＥの変更状態をそれぞれ示す３つのビットを含み、
前記ＳＰ  ＩＥのいずれかの値が変更された場合、前記ＳＰ変更ビットマップにおける対応位置のビットがトグルされるか又は１に設定されることを特徴とする項目１に記載のシステム情報更新方法。
（項目７）
前記Ｓ−ＳＦＨが、異なる送信周期を有する３つのＳＰ  ＩＥを含み、前記基地局のスケジューリングにより送信され、前記３つのＳＰ  ＩＥのスケジューリング周期情報が、特定のＳＰ  ＩＥで送信されることを特徴とする項目１に記載のシステム情報更新方法。
（項目８）
前記Ｓ−ＳＦＨが、異なる送信周期を有する３つのＳＰ  ＩＥを含み、前記基地局のスケジューリングにより送信され、前記３つのＳＰ  ＩＥのスケジューリング周期情報が、ＭＡＣ（Ｍｅｄｉｕｍ  Ａｃｃｅｓｓ  Ｃｏｎｔｒｏｌ）管理メッセージにより送信されることを特徴とする項目１に記載のシステム情報更新方法。
（項目９）
前記Ｓ−ＳＦＨのＣＣは、前記ＳＰ  ＩＥのいずれかの値が変更される毎に、１６を法として１増加することを特徴とする項目１に記載のシステム情報更新方法。
（項目１０）
スーパーフレームによりデータを送受信する広帯域無線通信システムにおけるシステム情報更新装置において、
プライマリスーパーフレームヘッダ（Ｐ−ＳＦＨ）及びセカンダリスーパーフレームヘッダ（Ｓ−ＳＦＨ）を含むスーパーフレームにより、前記Ｐ−ＳＦＨの情報要素（Ｐ−ＳＦＨ  ＩＥ）で送信される制御情報及び少なくとも１つの前記Ｓ−ＳＦＨのサブパケットの情報要素（Ｓ−ＳＦＨ  ＳＰ  ＩＥ）で送信されるシステム情報を含む情報を、基地局から受信する受信機と、
前記スーパーフレームにおいて送信されたＳ−ＳＦＨ  ＳＰ  ＩＥを示すスケジューリング情報及び前記Ｓ−ＳＦＨ  ＳＰ  ＩＥにおいて前記システム情報の変更状態を示す変更情報を含む前記Ｐ−ＳＦＨ  ＩＥを復号化する復号器と、
前記変更情報を保存するメモリと、
前記変更情報に基づいて前記システム情報が変更されたか否かを確認し、前記システム情報を復号化及び更新する制御装置と
を含むことを特徴とするシステム情報更新装置。
（項目１１）
前記変更情報は、前記Ｓ−ＳＦＨ  ＳＰ  ＩＥのいずれかの値が変更される毎に１６を法として１増加する変更カウント、及び前記Ｓ−ＳＦＨ  ＳＰ  ＩＥの変更状態をそれぞれ示す変更ビットマップを含むことを特徴とする項目１０に記載のシステム情報更新装置。
（項目１２）
前記Ｓ−ＳＦＨ  ＳＰ  ＩＥが３つのＳＰ  ＩＥを含み、前記変更ビットマップが前記３つのＳＰ  ＩＥの変更状態をそれぞれ示す３つのビットを含み、
前記Ｓ−ＳＦＨ  ＳＰ  ＩＥのいずれかの値が変更された場合、前記変更ビットマップにおける対応位置のビットがトグルされるか又は１に設定されることを特徴とする項目１１に記載のシステム情報更新装置。
（項目１３）
前記制御装置の確認動作では、前記受信した変更ビットマップと前記メモリに保存された変更ビットマップとを比較することにより、トグルされたビットの数を確認するか、又は値が１に設定されたビットの数を確認し、
前記トグルされたビットの数又は前記値が１に設定されたビットの数が前記受信した変更カウントと前記メモリに予め保存された変更カウント間の差と等しい場合、前記制御装置は、前記変更ビットマップのビットがトグルされるか又は１に設定された前記Ｓ−ＳＦＨの該当ＳＰ  ＩＥを復号化及び更新することを特徴とする項目１１に記載のシステム情報更新装置。
（項目１４）
スーパーフレームによりデータを送受信する広帯域無線通信システムにおけるシステム情報更新装置において、
制御情報及びシステム情報を含む情報を符号化する符号器と、
前記システム情報のいずれかの値が変更される毎に、前記変更情報を変更する制御装置と、
プライマリスーパーフレームヘッダ（Ｐ−ＳＦＨ）及びセカンダリスーパーフレームヘッダ（Ｓ−ＳＦＨ）を含むスーパーフレームにより前記情報を送信する送信機とを含み、
前記制御情報が、送信されたシステム情報を示すスケジューリング情報と、前記システム情報の変更状態を示す変更情報とを含み、
前記制御情報が、前記Ｐ−ＳＦＨで送信され、前記システム情報が、少なくとも１つの前記Ｓ−ＳＦＨのサブパケット（ＳＰ）で送信されることを特徴とするシステム情報更新装置。
（項目１５）
前記Ｓ−ＳＦＨのＳＰが３つのＳＰを含み、
前記変更情報は、前記ＳＦＨのＳＰのいずれかの値が変更される毎に１６を法として１増加する変更カウント、及び前記ＳＰの変更状態をそれぞれ示す変更ビットマップを含み、
前記ＳＰのいずれかの値が変更された場合、前記変更ビットマップにおける対応位置のビットがトグルされるか又は１に設定されることを特徴とする項目１４に記載のシステム情報更新装置。
【図面の簡単な説明】
【００２４】
本発明の理解を助けるために添付され、本明細書の一部を構成する図面は、本発明の実施形態を示し、明細書と共に本発明の原理を説明する。
【図１】上位レベルのフレーム構造を示す図である。
【図２】ＦＤＤ（Ｆｒｅｑｕｅｎｃｙ  Ｄｉｖｉｓｉｏｎ  Ｄｕｐｌｅｘ）方式のフレーム構造を示す図である。
【図３】ＴＤＤ（Ｔｉｍｅ  Ｄｉｖｉｓｉｏｎ  Ｄｕｐｌｅｘ）方式のフレーム構造を示す図である。
【図４】本発明の一実施形態により端末が基地局から受信したＰ−ＳＦＨ内の情報エラーを検出する過程を示すフローチャートである。
【図５】本発明の一実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【図６】本発明の他の実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【図７】本発明のさらに他の実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【図８】本発明のさらに他の実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【図９】本発明のさらに他の実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【図１０】本発明のさらに他の実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【図１１】本発明の第１の実施形態によるシステム情報更新過程を順次示す図である。
【図１２】本発明の第２の実施形態によるシステム情報更新過程を順次示す図である。
【図１３】本発明の第３の実施形態によるシステム情報更新過程を順次示す図である。
【図１４】本発明の一実施形態による端末のＳ−ＳＦＨ更新過程を示す図である。
【図１５】本発明の他の実施形態による端末のＳ−ＳＦＨ更新過程を示す図である。
【図１６】本発明のさらに他の実施形態による端末のＳ−ＳＦＨ更新過程を示す図である。
【図１７】本発明の一実施形態によるスリープモード／アイドルモードにある端末のＳ−ＳＦＨ更新過程を示す図である。
【図１８】本発明の他の実施形態によるスリープモード／アイドルモードにある端末のＳ−ＳＦＨ更新過程を示す図である。
【図１９】本発明の一実施形態によるシステム情報更新動作を行う端末を概略的に示すブロック図である。
【図２０】本発明の一実施形態によるシステム情報更新動作を行う基地局を概略的に示すブロック図である。
【発明を実施するための形態】
【００２５】
以下、添付図面を参照して本発明の実施形態を詳細に説明する。同一又は類似の構成要素には同一の符号を付して重複する説明は省略する。本発明を説明するにあたって、関連する公知機能又は構成についての具体的な説明が本発明の要旨を不明にすると判断される場合はその詳細な説明を省略するが、当業者であれば理解できるであろう。なお、図面において、より明確に示すために形状と大きさを誇張することがあるが、同一又は類似の構成要素には同一の符号を付す。添付図面は単なる例示にすぎず、本発明を限定するものではない。
【００２６】
本発明の実施形態による通信システムは、音声データやパケットデータなどの様々な通信サービスを提供するためのシステムであって、基地局及び端末を含む。
【００２７】
本発明の実施形態による端末は、ＳＳ（Ｓｕｂｓｃｒｉｂｅｒ  Ｓｔａｔｉｏｎ）、ＵＥ（Ｕｓｅｒ  Ｅｑｕｉｐｍｅｎｔ）、ＭＥ（Ｍｏｂｉｌｅ  Ｅｑｕｉｐｍｅｎｔ）、ＭＳ（Ｍｏｂｉｌｅ  Ｓｔａｔｉｏｎ）などと呼ばれ、携帯電話、ＰＤＡ、スマートフォン、ノートブックコンピュータなどのように通信機能を備えた携帯可能な機器、又はＰＣ、車両搭載装置などのように携帯不可能な機器を含む。
【００２８】
基地局（Ｂａｓｅ  Ｓｔａｔｉｏｎ；  ＢＳ）とは、端末と通信を行う固定局をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイントなどとも呼ばれる。１つの基地局には１つ以上のセルが存在し、基地局間ではユーザトラフィック又は制御トラフィックの伝送のためのインタフェースが使用される。ダウンリンクとは、ＢＳから端末への通信チャネルを意味し、アップリンクとは、端末からＢＳへの通信チャネルを意味する。
【００２９】
本発明の実施形態による無線通信システムに適用される多元接続方式は、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−ＦＤＭＡ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）などの多元接続方式を全て含む。
【００３０】
ダウンリンク伝送のための多元接続方式とアップリンク伝送のための多元接続方式とは異なってもよく、例えば、ダウンリンクはＯＦＤＭＡ方式を用い、アップリンクはＳＣ−ＦＤＭＡ方式を用いてもよい。
【００３１】
以下、添付図面を参照して本発明の実施形態を詳細に説明するが、図面番号に関係なく同一又は類似の構成要素には同一の符号を付して重複する説明は省略する。
【００３２】
図１は、基本的なフレーム構造を示す図である。
【００３３】
図１に示すように、本発明のシステムに適用されるフレーム構造は、５ｍｓ単位のフレームを基本構成要素として含んでもよく、前記フレームは、基本的な１つの伝送単位であって、プリアンブル間の間隔と定義することができる。フレームは、少なくとも１つのサブフレームを含み、異なるサイズを有する複数のＴＴＩ（Ｔｒａｎｓｍｉｓｓｉｏｎ  Ｔｉｍｅ  Ｉｎｔｅｒｖａｌ）を含んでもよい。ＴＴＩは、ＭＡＣ層で行われるスケジューリングの基本単位である。ＴＴＩは、無線リソースの割り当て単位ということができる。
【００３４】
スーパーフレームは、複数のフレームから構成される。スーパーフレームは、例えば２０ｍｓ単位で構成してもよい。スーパーフレームを構成する場合、初期の速いセル選択（ｆａｓｔ  ｃｅｌｌ  ｓｅｌｅｃｔｉｏｎ）及び低い遅延（ｌｏｗ  ｌａｔｅｎｃｙ）のサービスのためのシステム構成情報及びブロードキャスト情報を伝送単位として設定し、一般的には２つ〜６つのフレームを１つのスーパーフレームとして構成する。また、各５ｍｓ単位のフレームは、複数のサブフレームから構成され、各サブフレームは、複数のＯＦＤＭ／ＯＦＤＭＡシンボルから構成される。各スーパーフレームは、ブロードキャストチャネルを含む単一のスーパーフレームヘッダ（ＳＦＨ）を含み、ＳＦＨは、該当スーパーフレームの最初のサブフレームに位置する。実質的なフレーム構造は、システムチャネルの帯域幅、多重化方式、ＣＰ（Ｃｙｃｌｉｃ  Ｐｒｅｆｉｘ）の長さなどに応じて設計される。
【００３５】
図２は、ＦＤＤモードのフレーム構造を示す図である。
【００３６】
ＦＤＤモードでは、ダウンリンク伝送とアップリンク伝送が周波数ドメイン上で区分され、各フレームの全てのサブフレームはダウンリンク伝送とアップリンク伝送のどちらも可能である。ＦＤＤモードの端末は、アップリンクサブフレームに接続すると同時に、任意のダウンリンクサブフレームによりデータバーストを受信することができる。
【００３７】
図２に示すように、２０ｍｓのスーパーフレームは、４つの５ｍｓ長のフレームＦ０、Ｆ１、Ｆ２、Ｆ３を含み、１つのフレームＦ２は、０．６１７ｍｓ長の８つのサブフレームＳＦ０、ＳＦ１、ＳＦ２、ＳＦ３、ＳＦ４、ＳＦ５、ＳＦ６、ＳＦ７と、６２．８６μｓのアイドル時間区間とを含む。各サブフレームは、７つのＯＦＤＭシンボルＳ０、Ｓ１、Ｓ２、Ｓ３、Ｓ４、Ｓ５、Ｓ６を含む。
【００３８】
図３は、ＴＤＤモードのフレーム構造を示す図である。
【００３９】
ＴＤＤモードでは、ダウンリンク伝送とアップリンク伝送が時間ドメイン上で区分され、ダウンリンク伝送時間間隔の次にアップリンク伝送時間間隔が割り当てられることにより、ダウンリンクとアップリンクでデータが送受信される。
【００４０】
図３に示すように、２０ｍｓのスーパーフレームは、４つの５ｍｓのフレームＦ０、Ｆ１、Ｆ２、Ｆ３を含み、１つのフレームＦ２は、０．６１７ｍｓ長の８つのサブフレームＳＦ０、ＳＦ１、ＳＦ２、ＳＦ３、ＳＦ４、ＳＦ５、ＳＦ６、ＳＦ７と、６２．８６μｓのアイドル時間区間とを含む。フレームＦ２は、ダウンリンク（ＤＬ）とアップリンク（ＵＬ）の比率（Ｄ：Ｕ）によって決定されるＤ個のダウンリンクフレームとＵ個のアップリンクフレームとから構成される。ＤＬとＵＬの比率が５：３の場合、５つのサブフレームＳＦ０、ＳＦ１、ＳＦ２、ＳＦ３、ＳＦ４はダウンリンクフレームとして構成され、３つのサブフレームＳＦ５、ＳＦ６、ＳＦ７はアップリンクフレームとして構成される。最後のダウンリンクサブフレームＳＦ４と最初のアップリンクサブフレームＳＦ５との間には、ＤＬとＵＬを区分するための１つのアイドルシンボルが挿入され、ＤＬからＵＬに変更されることを通知する。ダウンリンクとアップリンクとの間に挿入されるギャップをＴＴＧ（Ｔｒａｎｓｍｉｔ  Ｔｒａｎｓｉｔｉｏｎ  Ｇａｐ）といい、アップリンクとダウンリンクとの間に挿入されるギャップをＲＴＧ（Ｒｅｃｅｉｖｅ  Ｔｒａｎｓｉｔｉｏｎ  Ｇａｐ）といい、これらにより、送信端と受信端はダウンリンク伝送とアップリンク伝送を区分することができる。
【００４１】
また、最後のダウンリンクサブフレームＳＦ４は、５つのＯＦＤＭシンボルと、最後の１つのアイドルシンボルＳ５とを含む。アイドルシンボルＳ５は、ダウンリンク（ＤＬ）とアップリンク（ＵＬ）を区分するＴＴＧの役割を果たす。
【００４２】
以下、スーパーフレームヘッダ（ＳＦＨ）について詳細に説明する。
【００４３】
広帯域無線アクセスシステムにおいて、ＳＦＨは、端末と基地局間の通信のために必須のシステム情報を端末に伝達する。図１に示すように、ＳＦＨは、単一のスーパーフレームの第１のサブフレームに位置する。ＳＦＨは、ＳＦＨを受信するための制御情報を伝達するプライマリＳＦＨ（Ｐ−ＳＦＨ）と、ネットワークエントリなどの必須情報を送信するセカンダリＳＦＨ（Ｓ−ＳＦＨ）とを含む。
【００４４】
Ｓ−ＳＦＨは、システム情報の送信頻度に応じて複数のサブパケット（ＳＰ）を含むが、好ましくは３つのＳＰ（ＳＰ１、ＳＰ２、ＳＰ３）を含む。
【００４５】
Ｐ−ＳＦＨは、各スーパーフレーム毎に伝送され、Ｐ−ＳＦＨの情報要素は、スーパーフレーム番号（ｓｕｐｅｒｆｒａｍｅ  ｎｕｍｂｅｒ；  ＳＦＮ）の４−ｂｉｔ−ＬＳＢ情報と、Ｓ−ＳＦＨに関する情報とを含む。Ｐ−ＳＦＨの情報要素（ＩＥ）とは、スーパーフレーム番号（ＳＦＮ）及びＳ−ＳＦＨに関する情報のセットを意味する。Ｓ−ＳＦＨに関する情報は、現在伝送されているＳ−ＳＦＨのバージョンを示すＳ−ＳＦＨ変更カウント、該当スーパーフレームにおいてどの種類のＳ−ＳＦＨ  ＳＰが伝送されるかを示すＳ−ＳＦＨスケジューリング情報ビットマップ、Ｓ−ＳＦＨ伝送のために割り当てられたＬＲＵの数を示すＳ−ＳＦＨサイズ、Ｓ−ＳＦＨの伝送フォーマットを示すＳ−ＳＦＨ繰り返し数（ｎｕｍｂｅｒ  ｏｆ  ｒｅｐｅｔｉｔｉｏｎｓ）、どの種類のＳ−ＳＦＨ  ＳＰが変更されたかを示すＳ−ＳＦＨ  ＳＰ変更ビットマップなどを含む。前記Ｓ−ＳＦＨスケジューリング情報ビットマップフィールド及び前記Ｓ−ＳＦＨ  ＳＰ変更ビットマップフィールドのサイズは、前記Ｓ−ＳＦＨのＳＰの総数と同一である。
【００４６】
Ｓ−ＳＦＨは、（Ｓ−ＳＦＨの情報要素と呼ばれる）実際のシステム情報を伝達し、伝達されるシステム情報は、前述したように、その特性に応じて３つのサブパケットに含まれ、これらをそれぞれＳ−ＳＦＨ  ＳＰｎ（ｎ＝１、２、３）という。各Ｓ−ＳＦＨ  ＳＰ情報要素（ＩＥ）は異なる送信周期を有する。ＳＰ１の送信周期をＴＳＰ１、ＳＰ２の送信周期をＴＳＰ２、ＳＰ３の送信周期をＴＳＰ３とすると、サブパケットの送信周期は、例えばＴＳＰ１＜ＴＳＰ２＜ＴＳＰ３と表される。
【００４７】
基地局との持続的な通信のために、端末は、Ｓ−ＳＦＨ  ＳＰで伝達されるシステム情報を更新しなければならない。この場合、システム情報が変更されていないにもかかわらず、Ｓ−ＳＦＨを復号化及び更新することは、端末の電力消費の面で非効率的である。そこで、本発明においては、Ｓ−ＳＦＨで伝達されるシステム情報の効率的な更新方法を提案する。
【００４８】
端末は、基地局から送信されるシステム情報の更新を行う前に、基地局から受信したＰ−ＳＦＨ内の情報エラーを検出しなければならない。
【００４９】
図４は、本発明の一実施形態により端末が基地局から受信したＰ−ＳＦＨ内の情報エラーを検出する過程を示すフローチャートである。
【００５０】
Ｐ−ＳＦＨは、４−ｂｉｔ−ＬＳＢスーパーフレーム番号（ＳＦＮ）、Ｓ−ＳＦＨ変更カウント（以下、「ＣＣ」という）、Ｓ−ＳＦＨスケジューリング情報ビットマップ、Ｓ−ＳＦＨサイズ、Ｓ−ＳＦＨ繰り返し数、Ｓ−ＳＦＨ  ＳＰ変更ビットマップ（以下、「ＣＢ」という）に加えて、ＣＲＣ（Ｃｙｃｌｉｃ  Ｒｅｄｕｎｄａｎｃｙ  Ｃｈｅｃｋ）を含んでもよい。一般に、端末は、無線インタフェースで送信されたＰ−ＳＦＨ内の情報にエラーがあるか否かを確認するために、受信したデータに基づいてＣＲＣの値を計算する。端末は、このように計算されたＣＲＣの値に基づいて、Ｐ−ＳＦＨ内の情報にエラーが発生したか否かを判断する。
【００５１】
ところが、本発明は、比較のために、ＣＲＣによる一般的なＰ−ＳＦＨエラー検出においてエラーがないと判断された場合も、Ｐ−ＳＦＨ内の４−ｂｉｔ−ＬＳＢスーパーフレーム番号フィールドを利用してエラーが発生したか否かをさらに判断する過程を提案する。
【００５２】
まず、端末は、受信したＰ−ＳＦＨを復号化する（Ｓ４０１）。
【００５３】
端末は、Ｐ−ＳＦＨに含まれるＣＲＣの値を復号化し、Ｐ−ＳＦＨ内の情報にエラーがあるか否かを一次的に判断する（Ｓ４０３）。
【００５４】
端末がＣＲＣチェックによるエラー発生判断の結果に基づいて該当スーパーフレームにエラーがあると判断した場合、当該スーパーフレームはエラー処理され（Ｓ４１７）、端末が該当スーパーフレームにエラーがないと判断した場合、端末は、初期ネットワーク登録（初期ネットワークエントリ）過程により必須のシステム情報を正常に受信（ＤＬ同期化）し、スーパーフレーム番号（ＳＦＮ）を計算する。
【００５５】
端末は、基地局から送信されたＰ−ＳＦＨ内のスーパーフレーム番号（ＳＦＮ）と前記計算されたＳＦＮとを比較して確認することにより、当該Ｐ−ＳＦＨがエラーなく正常に送信されたか否かを判断する（Ｓ４０５）。
【００５６】
端末は、Ｐ−ＳＦＨ内の情報にエラーがあると判断した場合、該当スーパーフレームをエラーが発生したものと扱い、何の動作も行わない（Ｓ４１７）。
【００５７】
端末は、基地局が送信したＰ−ＳＦＨ内のＳＦＮと端末が計算したＳＦＮとが同一であると判断した場合、該当スーパーフレームはエラーがないと判断する（Ｓ４０７）。
【００５８】
該当スーパーフレームにおいてＳ−ＳＦＨが送信された場合、端末はＳ−ＳＦＨのＣＲＣを計算することができ、端末がＳ−ＳＦＨ内の情報にエラーがないと判断した場合、当該端末は当該スーパーフレームにおいて正常な動作を行うことができる。
【００５９】
以下、Ｐ−ＳＦＨで伝達されるＳ−ＳＦＨ変更カウント及びＳ−ＳＦＨ  ＳＰ変更ビットマップを用いた、端末による必須のシステム情報の更新手順を説明する。
【００６０】
図５は、本発明の一実施形態により、システム情報の変更時、Ｐ−ＳＦＨで伝達されるＳ−ＳＦＨの変更カウント（ＣＣ）及びＳ−ＳＦＨサブパケット（ＳＰ）変更ビットマップ（ＣＢ）情報を変更する方法を示す図である。
【００６１】
図５に示すように、Ｐ−ＳＦＨで伝達されるＳ−ＳＦＨのＣＣ及びＳ−ＳＦＨ  ＳＰのＣＢは、基地局によりＳ−ＳＦＨ  ＳＰ  ＩＥの任意の値に変更することができる。
【００６２】
図５において、ＣＣは、Ｓ−ＳＦＨで伝達される必須のシステム情報が変更されたか否かを示す変更カウントを示し、ＳＩは、スケジューリング情報ビットマップであって、該当スーパーフレームにおいて送信されるＳ−ＳＦＨ  ＳＰを示す。また、Ｓ−ＳＦＨのＣＢは、該当スーパーフレームにおけるＳ−ＳＦＨ  ＳＰ  ＩＥの変更状態を示す。ＣＢの各ビットは、該当Ｓ−ＳＦＨ  ＳＰ  ＩＥの変更状態を示す。ビット＃０、ビット＃１、ビット＃２は、それぞれＳ−ＳＦＨ  ＳＰ１  ＩＥ、Ｓ−ＳＦＨ  ＳＰ２  ＩＥ、及びＳ−ＳＦＨ  ＳＰ３  ＩＥにマッピングされる。Ｓ−ＳＦＨ  ＳＰ  ＩＥのいずれかの値が変更された場合、該当ビットはトグルされるか又は１に設定される。
【００６３】
図示のように、スーパーフレームでは、Ｐ−ＳＦＨでＣＣ、ＳＩ、及びＣＢ情報を伝達することができる。端末の最後に保存されたＣＣの値が２５であり、スーパーフレーム１により、システム情報が変更されていないＳ−ＳＦＨ  ＳＰ１及びＳＰ２がスケジューリングされて送信されると仮定すると、スーパーフレーム１のＰ−ＳＦＨの最後に受信されたＣＣは最後に保存されたＣＣと同一である。スケジューリングされたＳ−ＳＦＨのＳＰがＳＰ１及びＳＰ２であることを示すように、スーパーフレーム１により送信されたＳＩビットマップは「１１０」に設定される。ＣＢはＳＰ  ＩＥが変更されていないことを示すように「０００」となる。
【００６４】
図５においては、Ｓ−ＳＦＨ  ＳＰで送信されるいずれかのシステム情報が変更された場合、変更されたＳ−ＳＦＨ  ＳＰ  ＩＥが最初に送信されるスーパーフレームにおいてＳ−ＳＦＨ  ＣＣが増加する。つまり、変更されたＳＰ１及びＳＰ２が最初に送信される送信時点（５１０）のスーパーフレーム２においてＣＣが２５から２７に増加する。この場合、ＳＰ単位でカウンタが増加して２つのＳＰの情報要素が変更されるため、ＣＣはカウントが２増加して２７となる。
【００６５】
従って、スーパーフレーム２のＰ−ＳＦＨは、ＣＣが２７に増加し、スケジューリングされたＳ−ＳＦＨのＳＰがＳＰ１及びＳＰ２であることを示すようにＳＩビットマップは「１１０」に設定され、ＣＢは変更されたＳＰ  ＩＥがＳＰ１及びＳＰ２であることを示すように「１１０」となる。
【００６６】
また、スーパーフレーム３では、システム情報が変更されておらず、ＳＰ１のみがスケジューリングされているため、スーパーフレーム３のＰ−ＳＦＨは、ＣＣが２７に維持され、スケジューリングされたＳ−ＳＦＨのＳＰがＳＰ１であることを示すようにＳＩビットマップは「１００」に設定され、ＣＢは「１１０」に維持される。
【００６７】
図６は、本発明の他の実施形態により、システム情報の変更時、Ｐ−ＳＦＨで伝達されるＳ−ＳＦＨのＣＣ及びＳ−ＳＦＨサブパケット（ＳＰ）のＣＢを変更する方法を示す図である。
【００６８】
図５に示す実施形態においては、変更されたＳＰ  ＩＥの数によってＣＣが増加するのに対して、図６に示す実施形態においては、スーパーフレームの数によって（すなわち、スーパーフレーム単位で）ＣＣが増加する。Ｐ−ＳＦＨの残りの情報要素（ＳＩ及びＣＢ）は図５と同様である。つまり、変更されたＳＰ１及びＳＰ２が最初に送信される時点（５１０）のスーパーフレーム２においてＣＣが２５から２６に増加する。
【００６９】
図７は、本発明のさらに他の実施形態により、システム情報の変更時、Ｐ−ＳＦＨで伝達されるＳ−ＳＦＨのＣＣ及びＳ−ＳＦＨサブパケット（ＳＰ）のＣＢを変更する方法を示す図である。
【００７０】
図７の実施形態においては、図５及び図６の実施形態とは異なり、Ｓ−ＳＦＨ  ＳＰ  ＩＥの送信時点に関係なく、基地局がＳ−ＳＦＨ  ＣＣを変更する必要性を認識したときにスーパーフレーム２においてＳ−ＳＦＨ  ＣＣを増加させる。
【００７１】
すなわち、基地局は、スーパーフレーム２においてＳＰ１を変更する必要性を認識し、スーパーフレーム３において変更されたＳＰ１を送信する。従って、変更されたＳＰ１が送信される時点のスーパーフレーム３においてＣＣが増加するのではなく、ＳＰ１を変更する必要性を認識した時点（７１０）のスーパーフレーム２においてＣＣが２５から２６に増加する。
【００７２】
図示のように、スーパーフレーム２のＰ−ＳＦＨは、ＣＣが２６に増加し、スケジューリングされたＳ−ＳＦＨのＳＰがスーパーフレーム２にはないため、ＳＩビットマップは「０００」に設定され、ＣＢはＳＰ１の変更を考慮して「１００」に設定される。
【００７３】
また、スーパーフレーム３では、Ｓ−ＳＦＨの変更されたＳＰ１がスケジューリングされるため、スケジューリングされたＳ−ＳＦＨのＳＰがＳＰ１であることを示すようにＳＩビットマップは「１００」に設定され、ＣＢは「１００」に維持される。
【００７４】
図８は、本発明のさらに他の実施形態により、システム情報の変更時、Ｐ−ＳＦＨで伝達されるＳ−ＳＦＨのＣＣ及びＳ−ＳＦＨサブパケット（ＳＰ）のＣＢを変更する方法を示す図である。
【００７５】
図８に示すように、異なる送信期間を有する複数のＳ−ＳＦＨ  ＳＰ  ＩＥでシステム情報が送信された場合、Ｓ−ＳＦＨ  ＳＰ  ＩＥのいずれかの値が変更される毎にＣＣが１ずつ増加する。
【００７６】
すなわち、スーパーフレーム２においてＳ−ＳＦＨ  ＳＰ２の情報要素が変更されることにより（８１０）、ＣＣが２５から２６に増加し、スーパーフレーム３においてＳ−ＳＦＨ  ＳＰ１の情報要素が変更されることにより（８３０）、ＣＣが２６から２７に増加する。この場合、基地局がスーパーフレーム２においてＳＰ１を変更する必要性を認識すると、ＣＢのビットマップは、スーパーフレーム２において「０００」から「１１０」に変更される。
【００７７】
図９は、本発明のさらに他の実施形態により、システム情報の変更時、Ｐ−ＳＦＨで伝達されるＳ−ＳＦＨのＣＣ及びＳ−ＳＦＨサブパケット（ＳＰ）のＣＢを変更する方法を示す図である。
【００７８】
図９に示すように、異なる送信期間を有する複数のＳ−ＳＦＨ  ＳＰ  ＩＥでシステム情報が送信された場合、これらのうち最初に送信されるＳ−ＳＦＨ  ＳＰ  ＩＥの最初の送信スーパーフレーム（スーパーフレーム２（９１０））においてＳ−ＳＦＨ  ＣＣ（変更カウント）が増加する。Ｓ−ＳＦＨ変更カウントが増加した当該スーパーフレームは、その残りのＳ−ＳＦＨ  ＳＰ  ＩＥを変更する必要性を示すスーパーフレームとみなされるので、スーパーフレーム２においてＣＢは「０００」から「１１０」に変更される。
【００７９】
図８及び図９に示すように、Ｓ−ＳＦＨ変更カウントは、スーパーフレーム単位で変更される毎に、又はＳ−ＳＦＨ  ＳＰ  ＩＥが変更される毎に、１ずつ増加する。また、システム情報又はＳＦＨ制御情報が変更されたか否かを通知する必要がない場合、システム情報又はＳＦＨ制御情報はＳ−ＳＦＨ変更カウントの増加に影響を及ぼさない。さらに、Ｓ−ＳＦＨ  ＳＰ１で伝達される８−ｂｉｔ−ＭＳＢスーパーフレーム番号や各Ｓ−ＳＦＨ  ＳＰで伝達される開始スーパーフレームオフセットが変更されても、Ｓ−ＳＦＨ変更カウントに影響を及ぼさない。
【００８０】
下記式１はＳ−ＳＦＨ変更カウントの増加を示し、例えばＳ−ＳＦＨ  ＣＣフィールドのサイズが４ビットの場合、Ｎは１６（２４）となる。
【００８１】
（数１）
Ｓ−ＳＦＨ変更カウント＝（Ｓ−ＳＦＨカウント＋１）ｍｏｄｕｌｏ  Ｎ
Ｎ＝２Ｓ−ＳＦＨ変更カウントのサイズ
図１０は、本発明のさらに他の実施形態により、システム情報の変更時、Ｐ−ＳＦＨで伝達されるＳ−ＳＦＨの変更カウント及びＳ−ＳＦＨサブパケット（ＳＰ）変更ビットマップ（ＣＢ）情報を変更する方法を示す図である。
【００８２】
図１０に示す実施形態においては、Ｐ−ＳＦＨで伝達されるＳ−ＳＦＨのＣＣ及びＳ−ＳＦＨ  ＳＰ変更ビットマップは、基地局によりＳ−ＳＦＨサブパケット（ＳＰ）単位で変更される。
【００８３】
前述したように、ＣＣは、Ｓ−ＳＦＨで伝達される必須のシステム情報が変更されたか否かを示す変更カウントを示し、ＳＩは、Ｓ−ＳＦＨ  ＳＰのスケジューリング情報ビットマップであって、該当スーパーフレームにおいてスケジューリングされて端末に送信されるＳ−ＳＦＨ  ＳＰを示し、ＣＢは、該当スーパーフレームにおいてシステム情報が変更されたＳ−ＳＦＨ  ＳＰを示す。
【００８４】
図示のように、Ｐ−ＳＦＨでＳ−ＳＦＨのＣＣ、ＳＩ、及びＣＢを伝達することができ、スーパーフレーム１を受信する前の時点で予め保存されたＣＣが２５であり、システム情報が変更されていないＳ−ＳＦＨ  ＳＰ１及びＳＰ２がスーパーフレーム１においてスケジューリングされて伝達されると仮定すると、スーパーフレーム１のＰ−ＳＦＨは保存されたＣＣと受信したＣＣが２５と等しく、スケジューリングされたＳ−ＳＦＨのＳＰがＳＰ１及びＳＰ２であることを示すようにＳＩビットマップは「１１０」に設定され、ＣＢは「０００」となる。
【００８５】
スーパーフレーム２においてＳＰ１及びＳＰ２が変更（１００１、１００２）されて最初に送信され、変更されたＳ−ＳＦＨ  ＳＰ  ＩＥが最初に送信されるスーパーフレーム２においてＳ−ＳＦＨ変更カウントが増加してＣＣは２増加して２７となる。この場合、ＳＰ  ＩＥの任意の値によって（すなわち、ＳＰ単位で）カウントが増加して２つのＳＰが変更されるため、ＣＣのカウントは２増加して２７となる。
【００８６】
従って、スーパーフレーム２のＰ−ＳＦＨは、ＣＣが２７に増加し、スケジューリングされたＳ−ＳＦＨのＳＰがＳＰ１及びＳＰ２であることを示すようにＳＩビットマップは「１１０」に設定され、Ｓ−ＳＦＨ変更カウントが増加する時点で変更されたＳ−ＳＦＨ  ＳＰ  ＩＥに対応するＳ−ＳＦＨ変更ビットマップのビット位置ＳＰ１及びＳＰ２の値がトグルされてＣＢは「０００」から「１１０」に変更される。すなわち、Ｓ−ＳＦＨ  ＳＰ１  ＩＥが変更された場合、Ｓ−ＳＦＨ変更ビットマップの最初のビットの値がトグルされ、Ｓ−ＳＦＨ  ＳＰ２  ＩＥが変更された場合、Ｓ−ＳＦＨ変更ビットマップの２番目のビットの値がトグルされる。
【００８７】
また、Ｓ−ＳＦＨ変更カウントの場合と同様に、システム情報のうち、Ｓ−ＳＦＨ  ＳＰ１で伝達される８−ｂｉｔ−ＭＳＢスーパーフレーム番号や各Ｓ−ＳＦＨ  ＳＰで伝達される開始スーパーフレームオフセットが変更されても、Ｓ−ＳＦＨ変更ビットマップは影響されない。
【００８８】
スーパーフレーム３のＳ−ＳＦＨには変更が全くないので、基地局は、既存のＣＣの値（ＣＣ＝２７）とＣＢ（ＣＢ＝１１０）をそのまま維持し、これらをＰ−ＳＦＨで端末に送信する。
【００８９】
スーパーフレーム４ではＳ−ＳＦＨ  ＳＰ２が変更されて送信されるので、基地局は、ＣＣの値を１増加させて２８とし、ＣＢはＳ−ＳＦＨ  ＳＰ２に対応するＳ−ＳＦＨ  ＣＢの２番目のビットの値をトグルして１００に変更して、Ｐ−ＳＦＨで端末に送信する。
【００９０】
以上、図５〜図１０を参照してシステム情報の変更時にＳ−ＳＦＨ  ＣＣ及びＣＢの値を変更する方法を説明した。以下、変更されたシステム情報を受信した端末のシステム情報更新方法を説明する。
【００９１】
図１１は、本発明の第１の実施形態によるシステム情報更新過程を順次示す図である。
【００９２】
基地局は、Ｓ−ＳＦＨスケジューリング情報ビットマップ（ＳＩ）、Ｓ−ＳＦＨ変更カウント（ＣＣ）、及びＳ−ＳＦＨサブパケット変更ビットマップ（Ｓ−ＳＦＨ  ＳＰ  ＣＢ）を含むＰ−ＳＦＨ  ＩＥを端末に送信する。
【００９３】
基地局からＰ−ＳＦＨ  ＩＥを受信した端末は、受信したＰ−ＳＦＨ  ＩＥを復号化する（Ｓ１１０１）。
【００９４】
端末は、Ｐ−ＳＦＨ  ＩＥに含まれるＳ−ＳＦＨ変更カウント（ＣＣ）及びＳ−ＳＦＨ  ＳＰ変更ビットマップ（ＣＢ）情報を復号化し、Ｓ−ＳＦＨ  ＩＥを復号化するか否かを決定する。
【００９５】
まず、端末は、Ｐ−ＳＦＨ  ＩＥを受信する毎に、最後に受信したＰ−ＳＦＨ  ＩＥ及び最後に保存されたＰ−ＳＦＨ  ＩＥの各Ｓ−ＳＦＨ  ＣＣの値を比較する（Ｓ１１０３）。
【００９６】
前記ＣＣの値を比較した結果、２つの値に差がない場合（ＣＣ差＝０）、端末は、Ｓ−ＳＦＨの変更がないと判断し、全てのＳ−ＳＦＨ  ＩＥの復号化を省略する（Ｓ１１０５）。
【００９７】
前記ＣＣの値を比較した結果、２つの値の差が１より大きい場合（ＣＣ差＞１）、端末は、少なくとも１つのＳ−ＳＦＨ  ＩＥが変更されたと判断し、全てのＳ−ＳＦＨ  ＩＥの復号化を行う（Ｓ１１０７）。そして、端末は、全てのＳ−ＳＦＨ  ＩＥの復号化を行った後、変更されたＳ−ＳＦＨ  ＣＣの値及びＳ−ＳＦＨ  ＳＰ  ＣＢの値を保存する（Ｓ１１１７）。
【００９８】
前記ＣＣの値を比較した結果、２つの値の差が１の場合（ＣＣ差＝１）、端末は、受信して保存しておいたＳ−ＳＦＨ  ＣＢと新たに受信したＳ−ＳＦＨ  ＣＢとを比較する（Ｓ１１０９）。
【００９９】
前記変更ビットマップの比較結果に基づいて、トグルされたビット位置に該当するＳ−ＳＦＨ  ＳＰ  ＩＥが変更されたＳ−ＳＦＨ  ＳＰ  ＩＥであると判断し、当該ＳＰ  ＩＥを復号化及び更新する（Ｓ１１１１）。
【０１００】
その後、端末は、変更されたＳ−ＳＦＨ  ＣＣの値及びＳ−ＳＦＨ  ＳＰ  ＣＢの値を保存する（Ｓ１１１７）。
【０１０１】
図１１に示す実施形態においては、保存されたＳ−ＳＦＨ変更カウントと現在受信したＰ−ＳＦＨのＳ−ＳＦＨ変更カウントの差が２の場合、同一のＳ−ＳＦＨ  ＳＰが連続して変更されると（Ｓ−ＳＦＨ  ＳＰ変更ビットマップと同一のビット位置の値がトグルされると（０→１→０））、端末は、Ｓ−ＳＦＨが変更されたか否かは分かるが、どのＳ−ＳＦＨ  ＳＰが変更されたかは分からない。このように、端末がどのＳ−ＳＦＨ  ＳＰが変更されたか分からない場合、全てのＳ−ＳＦＨ  ＳＰを受信し、Ｓ−ＳＦＨ変更カウントの差値が１であるか、２以上であるかを確認して判断する。
【０１０２】
図１２は、本発明の第２の実施形態によるシステム情報更新過程を順次示す図である。
【０１０３】
図１２に示す実施形態においては、Ｓ−ＳＦＨ変更カウントとＳ−ＳＦＨ  ＳＰ変更ビットマップを用いて（差値だけトグルされたか否かを確認して）判断した場合、連続して変更された（Ｓ−ＳＦＨ  ＳＰ変更ビットマップと同一のビット位置の値がトグルされた（０→１→０））Ｓ−ＳＦＨ  ＳＰビット情報を把握することもできる。
【０１０４】
図１１に示す場合と同様に、基地局は、Ｓ−ＳＦＨスケジューリング情報ビットマップ（ＳＩ）、Ｓ−ＳＦＨ変更カウント（ＣＣ）、及びＳ−ＳＦＨサブパケット変更ビットマップ（Ｓ−ＳＦＨ  ＳＰ  ＣＢ）を含むＰ−ＳＦＨ  ＩＥを端末に送信する。基地局からＰ−ＳＦＨ  ＩＥを受信した端末は、受信したＰ−ＳＦＨ  ＩＥを復号化する（Ｓ１１０１）。
【０１０５】
端末は、Ｐ−ＳＦＨ  ＩＥに含まれるＳ−ＳＦＨ変更カウント（ＣＣ）及びＳ−ＳＦＨ  ＳＰ変更ビットマップ（ＣＢ）情報を復号化し、Ｓ−ＳＦＨ  ＩＥを復号化するか否かを決定し、受信して保存しておいたＳ−ＳＦＨ  ＣＣの値と新たに受信したＳ−ＳＦＨ  ＣＣの値とを比較する（Ｓ１２０３）。
【０１０６】
前記ＣＣの値を比較した結果、２つの値に差がない場合（ＣＣ差＝０）、端末は、Ｓ−ＳＦＨの変更がないと判断し、全てのＳ−ＳＦＨ  ＩＥの復号化を省略する（Ｓ１１０５）。
【０１０７】
前記ＣＣの値を比較した結果、２つの値に差が生じた場合（ＣＣ差≠０）、端末は、受信して保存しておいたＳ−ＳＦＨ  ＣＢと新たに受信したＳ−ＳＦＨ  ＣＢとを比較し、トグルされたビットの数が受信したＣＣと保存されたＣＣの差と等しいか否かを判断する（Ｓ１２０７）。前記トグルされたビットの数が前記ＣＣの値の差と等しい場合、端末は、トグルされたビット位置に該当するＳ−ＳＦＨ  ＳＰ  ＩＥが変更されたＳ−ＳＦＨ  ＳＰ  ＩＥであると判断し、当該ＳＰ  ＩＥを復号化及び更新する（Ｓ１２１１）。例えば、Ｓ−ＳＦＨ変更カウントの差値が２であり、保存されたＣＢが「０００」であり、受信したＣＢが「０１１」である場合、Ｓ−ＳＦＨ  ＳＰ変更ビットマップのビットのうち２つのビットの値がトグルされているので、端末は、前記トグルされたビットの数が前記ＣＣの値の差と等しいと判断する。その後、端末は、該当ＳＰ  ＩＥを復号化及び更新する。そして、端末は、変更されたＳ−ＳＦＨ  ＣＣの値及びＳ−ＳＦＨ  ＳＰ  ＣＢの値を保存する（Ｓ１２１９）。
【０１０８】
前記トグルされたビットの数が前記ＣＣの値の差と等しくない場合、端末は、全てのＳ−ＳＦＨ  ＳＰ  ＩＥを復号化及び更新する。
【０１０９】
図１３は、本発明の第３の実施形態によるシステム情報更新過程を順次示す図である。
【０１１０】
基地局は、Ｓ−ＳＦＨスケジューリング情報ビットマップ（ＳＩ）、Ｓ−ＳＦＨ変更カウント（ＣＣ）、及びＳ−ＳＦＨサブパケット変更ビットマップ（Ｓ−ＳＦＨ  ＳＰ  ＣＢ）を含むＰ−ＳＦＨ  ＩＥを端末に送信する。この場合、基地局は、前述した変更ビットマップとは異なり、Ｓ−ＳＦＨ  ＳＰに対応するビットの値のみを１に設定し、その他のビットは０に設定する。
【０１１１】
基地局からＰ−ＳＦＨ  ＩＥを受信した端末は、受信したＰ−ＳＦＨ  ＩＥを復号化する（Ｓ１１０１）。
【０１１２】
端末は、Ｐ−ＳＦＨ  ＩＥに含まれるＳ−ＳＦＨ変更カウント（ＣＣ）及びＳ−ＳＦＨ  ＳＰ変更ビットマップ（ＣＢ）情報を復号化し、Ｓ−ＳＦＨ  ＩＥを復号化するか否かを決定する。
【０１１３】
まず、端末は、受信して保存しておいたＳ−ＳＦＨ  ＣＣの値と新たに受信したＳ−ＳＦＨ  ＣＣの値とを比較する（Ｓ１１０３）。
【０１１４】
前記ＣＣの値を比較した結果、２つの値に差がない場合（ＣＣ差＝０）、端末は、Ｓ−ＳＦＨの変更がないと判断し、全てのＳ−ＳＦＨ  ＩＥの復号化を省略する（Ｓ１１０５）。
【０１１５】
前記ＣＣの値を比較した結果、２つの値の差が１より大きい場合（ＣＣ差＞１）、端末は、少なくとも１つのＳ−ＳＦＨ  ＩＥが変更されたと判断し、全てのＳ−ＳＦＨ  ＩＥの復号化を行う（Ｓ１１０７）。そして、端末は、全てのＳ−ＳＦＨ  ＩＥの復号化を行った後、変更されたＳ−ＳＦＨ  ＣＣの値を保存する（Ｓ１３１７）。
【０１１６】
前記ＣＣの値を比較した結果、２つの値の差が１の場合（ＣＣ差＝１）、端末は、復号化及び更新する該当ＳＰ  ＩＥをＳＰ変更ビットマップのビットが１に設定されたＳＰ  ＩＥであると判断する。そして、端末は、該当ＳＰ  ＩＥを復号化及び更新する（Ｓ１３１１）。
【０１１７】
その後、端末は、変更されたＳ−ＳＦＨ  ＣＣの値を保存する（Ｓ１３１７）。
【０１１８】
図１４は、本発明の一実施形態による端末のＳ−ＳＦＨ更新過程を示す図であり、図１２の更新方法を適用した場合の具体的な実施形態を説明するためのものである。
【０１１９】
まず、端末に保存されたシステム情報は、ＣＣ  ２５、ＣＢ「０００」であると仮定する。
【０１２０】
端末は、Ｐ−ＳＦＨ  ＩＥを受信する毎に、最後に受信したＰ−ＳＦＨ  ＩＥと最後に保存されたＰ−ＳＦＨ  ＩＥとにおいてＣＣの値を比較する。
【０１２１】
スーパーフレーム１においてＰ−ＳＦＨ  ＩＥを受信した場合、比較の結果、ＣＣの値が等しいため、端末は、端末自身が有しているシステム情報が変更されていないことを認識することができる。従って、端末は、当該スーパーフレーム（すなわち、スーパーフレーム１）においてＳ−ＳＦＨ  ＳＰ２が送信されるが、Ｓ−ＳＦＨ  ＳＰ２を復号化及び更新しない。
【０１２２】
スーパーフレーム２を受信すると、端末は、保存されたＣＣの値と受信したＣＣの値とを比較する。保存されたＣＣの値と該当スーパーフレームにおいて送信されたＣＣの値とが異なるため、端末は、システム情報が変更されたことを認識することができる。
【０１２３】
その後、端末は、保存されたＣＢ「０００」と該当スーパーフレームにおいて送信されたＣＢ「１００」とを比較し、異なる値を有するビットを認識する。すなわち、変更されたビットのトグル数が１であって、ＣＣの差の値（ＣＣ  ２６−ＣＣ  ２５＝１）と等しいため、端末は、該当ビット位置に対応するＳ−ＳＦＨ  ＳＰ１のみ変更されたことを認識することができる。この場合、端末は、スーパーフレーム２のＳ−ＳＦＨ  ＳＩ情報（ＳＩ＝「１００」）により、Ｓ−ＳＦＨ  ＳＰ１が送信されることを認識することができるので、該当スーパーフレームにおいてＳ−ＳＦＨ  ＳＰ１を復号化及び更新する。
【０１２４】
その後、端末は、Ｓ−ＳＦＨ変更カウント（２６）とＳ−ＳＦＨ  ＳＰ変更ビットマップ（１００）を保存する。
【０１２５】
図１５は、本発明の他の実施形態による端末のＳ−ＳＦＨ  ＩＥ更新過程を示す図であり、図１２の更新方法を適用した場合の具体的な実施形態を説明するためのものである。
【０１２６】
本実施形態においては、基地局から変更されたＳ−ＳＦＨ  ＳＰが最初に送信されたとき、端末がスリープ状態又はアイドル状態にあったため、端末が前記変更されたＳ−ＳＦＨ  ＳＰを受信することができなかったと仮定する。
【０１２７】
端末に最後に保存されたＣＣ及びＣＢの値が２５及び「０００」であると仮定すると、そのＣＣの値がスーパーフレーム１において送信されたＣＣの値２６と比較して異なるため（その差が１であるため）、端末は、システム情報が変更されたことを認識することができる。
【０１２８】
この場合、端末は、最後に保存されたＣＢ「０００」と当該スーパーフレームにおいて送信されたＣＢ「１００」とを比較する。
【０１２９】
異なる値を有するビット位置の数がＣＣの差の値（ＣＣ  ２６−ＣＣ  ２５＝１）と等しいため、端末は、そのビット位置に対応するＳ−ＳＦＨ  ＳＰ１のみ変更されたことを認識することができる。
【０１３０】
ところが、スーパーフレーム１のＳＩが「０１０」、ＣＢが「１００」であるため、端末は、スーパーフレーム１において送信されるＳ−ＳＦＨ  ＳＰ２は変更されていないことを認識し、スーパーフレーム１により受信したＳ−ＳＦＨ  ＳＰ２は復号化しない。
【０１３１】
スーパーフレーム２では、Ｓ−ＳＦＨ  ＳＰ１が送信される（ＳＩ＝「１００」）ので、端末は、当該スーパーフレームにおいてＳ−ＳＦＨ  ＳＰ１を復号化及び更新する。
【０１３２】
その後、端末は、Ｓ−ＳＦＨ変更カウント（２６）とＳ−ＳＦＨ  ＳＰ変更ビットマップ（１００）を保存する。
【０１３３】
図１６は、本発明のさらに他の実施形態による端末のＳ−ＳＦＨ更新過程を示す図であり、図１２の更新方法を適用した場合の具体的な実施形態を説明するためのものである。
【０１３４】
具体的には、図１６は、スリープ状態又はアイドル状態の端末が非リッスン区間（ｕｎａｖａｉｌａｂｌｅ  ｉｎｔｅｒｖａｌ）に進入したので全てのスーパーフレームのＰ−ＳＦＨを確認することができない場合におけるシステム情報更新過程を示すものである。
【０１３５】
端末に最後に保存されたＣＣ及びＣＢが２５及び「０００」の場合、スーパーフレーム１及び２が端末の非リッスン区間に含まれれば、端末は、当該スーパーフレーム（すなわち、スーパーフレーム１及び２）において、Ｐ−ＳＦＨ復号化などを含む端末の全ての動作を中止し、電力消費を最小限に抑えるための節電（ｐｏｗｅｒ  ｓａｖｉｎｇ）モードに移行する。従って、端末は、スーパーフレーム１及び２において変更されたＳ−ＳＦＨ  ＳＰ１（１６０１）及びＳ−ＳＦＨ  ＳＰ２（１６０３）を受信することができない。
【０１３６】
スーパーフレーム３が端末のリッスン区間（ｌｉｓｔｅｎｉｎｇ  ｉｎｔｅｒｖａｌ）であれば、端末は、当該スーパーフレームにおいて送信されたＰ−ＳＦＨを復号化し、保存されたＣＣの値と当該スーパーフレームにおいて送信されたＣＣの値とを比較する。前記比較の結果、値が異なるため（ＣＣ差＝３）、端末は、システム情報が変更されたことを認識することができる。
【０１３７】
よって、端末は、保存されたＣＢ「０００」と当該スーパーフレームにおいて送信されたＣＢ「０１０」とを比較する。前記ＣＢの比較結果、異なる値を有するビット位置の数（１）とＣＣの差の値（ＣＣ  ２８−ＣＣ  ２５＝３）が異なるため、端末は、全てのＳ−ＳＦＨ  ＳＰを復号化及び更新する。
【０１３８】
この場合、端末は、ＣＣ及びＣＢの値と共に各Ｓ−ＳＦＨ  ＳＰのスケジューリング周期（ｓｃｈｅｄｕｌｉｎｇ  ｐｅｒｉｏｄｉｃｉｔｉｅｓ）情報を利用してシステム情報を更新することができる。
【０１３９】
前記スケジューリング周期情報を含むＳ−ＳＦＨ  ＳＰの周期情報は、（１）異なるＳ−ＳＦＨ  ＳＰのスケジューリング周期情報が伝達される特定のＳ−ＳＦＨ  ＳＰで（すなわち、特定のＳ−ＳＦＨ  ＳＰの周期情報を含む）、（２）ネットワークエントリ過程で送信されるＭＡＣ管理メッセージ（例えば、ＲＮＧ−ＲＥＱ／ＲＳＰ、ＳＢＣ−ＲＥＱ／ＲＳＰ、ＲＥＧ−ＲＥＱ／ＲＳＰ）により、又は（３）予め固定された周期を定義して、端末に送信することができる。
【０１４０】
端末は、前述した３つの方法の１つにより、明示的に各Ｓ−ＳＦＨ  ＳＰの送信周期を認識することができる。また、端末は、各Ｓ−ＳＦＨ  ＳＰを少なくとも２回以上受信することにより、黙示的に各Ｓ−ＳＦＨ  ＳＰの送信周期を知ることができる。端末は、このように認識した各Ｓ−ＳＦＨ  ＳＰの送信周期情報が変更されるまでその情報が有効であると判断する。
【０１４１】
図１７は、本発明の一実施形態によるスリープモード／アイドルモードにある端末のＳ−ＳＦＨ更新過程を示す図である。
【０１４２】
図示のように、端末は、変更されたＳ−ＳＦＨ  ＳＰが送信されるスーパーフレーム１において非リッスン区間にあるため、スーパーフレーム１においては前記変更されたＳ−ＳＦＨ  ＳＰ（１７０１）を受信することができない。端末は、スーパーフレーム２においてリッスン区間にある。そして、端末は、スーパーフレーム３及び４において非リッスン区間に進入する。
【０１４３】
このように、スリープ状態又はアイドル状態の端末がリッスン区間で変更されたＳ−ＳＦＨ  ＳＰの全てを受信することができなかった場合、当該端末は、変更されたＳ−ＳＦＨ  ＳＰの送信周期情報を利用して、非リッスン区間（節電／スリープ区間）で、当該Ｓ−ＳＦＨ  ＳＰが送信される次のスーパーフレームにおいて起動しなければならない。当該端末は、当該Ｓ−ＳＦＨ  ＳＰが送信される次の最初のスーパーフレームにおいて起動することが好ましい。すなわち、端末は、変更されたＳ−ＳＦＨ  ＳＰの送信周期情報を利用して、更新する必要のないＳ−ＳＦＨ  ＳＰのみ送信されるスーパーフレームにおいては起動しなくてもよい。Ｓ−ＳＦＨ  ＳＰを更新した後、端末は、残りの非リッスン区間で、１つ以上の物理的装置の電源を切ったり、基地局との通信を要しない他の動作を行うことができる。
【０１４４】
最後に保存されたＣＣ及びＣＢの値が２５及び「０００」であり、非リッスン区間とリッスン区間が図１７に示すように決定されていると仮定すると、端末は、スーパーフレーム２において起動してＰ−ＳＦＨを復号化し、当該スーパーフレーム２のＣＣ及びＣＢによりＳ−ＳＦＨ  ＳＰ１が変更されたことを認識する。しかしながら、当該リッスン区間であるスーパーフレーム２においては変更されたＳ−ＳＦＨ  ＳＰ１は送信されない。よって、Ｓ−ＳＦＨ  ＳＰ１の送信周期情報により、変更されたＳ−ＳＦＨ  ＳＰ１がスーパーフレーム４において送信されることを認識した場合は、スーパーフレーム４が非リッスン区間に含まれるが、端末は、当該スーパーフレーム４において起動して当該Ｓ−ＳＦＨ  ＳＰ１を復号化及び更新する。
【０１４５】
もし、変更されたＳ−ＳＦＨ  ＳＰの送信周期情報を利用して非リッスン区間内で該当Ｓ−ＳＦＨ  ＳＰが送信されると予測したスーパーフレームにおいて該当Ｓ−ＳＦＨ  ＳＰを受信していない場合、端末は、該当Ｓ−ＳＦＨ  ＳＰを全て受信するまで起動状態を維持しなければならないので、節電状態に移行してはならない。もし、端末が変更されたＳ−ＳＦＨ  ＳＰを受信する前にＳ−ＳＦＨ  ＳＰの送信周期情報を先に受信した場合、端末は、変更されたＳ−ＳＦＨ  ＳＰを更新するために、当該送信周期情報を利用することができる。
【０１４６】
図１８は、本発明の他の実施形態によるスリープモード／アイドルモードにある端末のＳ−ＳＦＨ更新過程を示す図であり、図１３の更新方法を適用した場合の具体的な実施形態を説明するためのものである。
【０１４７】
端末に保存されたシステム情報はＣＣ  ２５であると仮定する。
【０１４８】
端末は、スーパーフレーム１において保存されたＣＣの値と受信したＣＣの値とを比較する。
【０１４９】
比較の結果、ＣＣの値が等しいため、端末は、端末のシステム情報が変更されていないことを認識することができる。従って、端末は、当該スーパーフレーム（すなわち、スーパーフレーム１）において送信されるＳ−ＳＦＨ  ＳＰ１を復号化及び更新しない。
【０１５０】
スーパーフレーム２を受信すると、端末は、保存されたＣＣの値と受信したＣＣの値とを比較する。前記比較の結果に基づいて、保存されたＣＣの値と該当スーパーフレームにおいて送信されたＣＣの値とが異なるため、端末は、システム情報が変更されたことを認識することができる。
【０１５１】
この場合、端末は、ＣＢ内の「１」の値を有するビット位置に対応するＳ−ＳＦＨ  ＳＰ２のみ変更されたことを認識することができる。この場合、端末は、スーパーフレーム２のＳ−ＳＦＨ  ＳＩ情報（ＳＩ＝「０１０」）により、Ｓ−ＳＦＨ  ＳＰ２が送信されることを認識することができるので、該当スーパーフレームにおいてＳ−ＳＦＨ  ＳＰ２を復号化及び更新し、Ｓ−ＳＦＨ変更カウント（２６）を保存する。
【０１５２】
その後、端末は、スーパーフレーム３を受信し、保存されたＣＣの値と受信したＣＣの値とを比較する。保存されたＣＣの値と該当スーパーフレームにおいて送信されたＣＣの値とが異なるため、端末は、システム情報が変更されたことを認識することができる。
【０１５３】
この場合、端末は、「１」の値を有するビット位置に対応するＳ−ＳＦＨ  ＳＰ１のみ変更されたことを認識することができる。この場合、端末は、スーパーフレーム３のＳ−ＳＦＨ  ＳＩ情報（ＳＩ＝「１００」）により、Ｓ−ＳＦＨ  ＳＰ１が送信されることを認識することができるので、該当スーパーフレームにおいてＳ−ＳＦＨ  ＳＰ１を復号化及び更新する。その後、端末は、Ｓ−ＳＦＨ変更カウント（２７）を保存する。
【０１５４】
図１９は、本発明の一実施形態によるシステム情報更新動作を行う端末を概略的に示すブロック図である。
【０１５５】
システム情報更新動作を行う端末は、送信機１９０１、受信機１９０３、復号器１９０５、メモリ１９０７、及び制御装置１９０９を含む。
【０１５６】
受信機１９０３は、基地局からＰ−ＳＦＨを含むスーパーフレームによりデータを受信する。
【０１５７】
復号器１９０５は、前記受信したスーパーフレームにおいてＳ−ＳＦＨのスケジューリング情報ビットマップ、変更カウント、及びサブパケット（ＳＰ）変更ビットマップを含むＰ−ＳＦＨ情報要素（ＩＥ）を復号化する。
【０１５８】
メモリ１９０７は、Ｓ−ＳＦＨの変更カウント及びサブパケット変更ビットマップを保存する。
【０１５９】
制御装置１９０９は、メモリ１９０７に保存された変更カウント及び変更ビットマップと前記受信した変更カウント及び変更ビットマップとを比較し、Ｓ−ＳＦＨ  ＳＰの情報要素を復号化及び更新する動作を制御する。また、制御装置１９０９は、メモリ１９０７に保存された変更カウントと前記受信した変更カウントとを比較し、２つの値に差がない場合は、Ｓ−ＳＦＨ情報要素を復号化しないが、２つの値に差がある場合は、メモリ１９０７に保存されたＳＰ変更ビットマップと前記受信したＳＰ変更ビットマップとを比較する。
【０１６０】
前述したように、制御装置１９０９は、前記メモリに保存されたＳＰ変更ビットマップと前記受信したＳＰ変更ビットマップとを比較し、トグルされたビットの数が前記変更カウント間の差値と等しい場合は、受信したスーパーフレームにおいてトグルされたビット位置に該当するＳ−ＳＦＨ  ＳＰを復号化し、トグルされたビットの数が前記変更カウント間の差値と異なる場合は、前記スーパーフレームの全てのＳ−ＳＦＨ  ＳＰを復号化する。又は、変更されたＳ−ＳＦＨ  ＳＰに対応するビットの値のみを「１」に設定し、残りのビットを「０」に設定した場合、制御装置１９０９は、受信したスーパーフレームにおいてビット値「１」を有するＳ−ＳＦＨ  ＳＰを復号化する。
【０１６１】
図２０は、本発明の一実施形態によるシステム情報更新動作を行う基地局を概略的に示すブロック図である。
【０１６２】
システム情報更新動作を行う基地局は、送信機２００１、受信機２００３、符号器２００５、及び制御装置２００９を含む。
【０１６３】
符号器２００５は、Ｓ−ＳＦＨのスケジューリング情報ビットマップ、変更カウント、及びサブパケット（ＳＰ）変更ビットマップを含むＰ−ＳＦＨ情報要素（ＩＥ）を符号化する。
【０１６４】
Ｓ−ＳＦＨ  ＳＰ情報要素が変更されると、制御装置２００９は、Ｓ−ＳＦＨ  ＳＰが変更される毎に、前記Ｓ−ＳＦＨの変更カウントを１変更し、前記Ｓ−ＳＦＨのＳＰ変更ビットマップを特定のＳＰの変更に対応する特定の位置のビットがトグルされるように変更するか、又は変更されたＳ−ＳＦＨ  ＳＰに対応するビットの値のみを「１」に設定し、残りのビットは「０」に設定する。
【０１６５】
送信機２００１は、前記変更されたＳ−ＳＦＨの変更カウント及びＳＰ変更ビットマップを含むＰ−ＳＦＨ情報要素と前記変更されたＳ−ＳＦＨ  ＳＰとを含むスーパーフレームを送信する。
【０１６６】
前述したように、本発明による装置は、前述した構成要素の他に、本発明の技術的思想の実現に必要なソフトウェア及びハードウェア、例えば出力装置（ディスプレイ、スピーカなど）、入力装置（キーパッド、マイクなど）、メモリ、送受信部（ＲＦモジュール、アンテナなど）などを基本的に含む。これらの構成要素については、当業者にとって自明な事項であるので、その詳細な説明は省略する。
【０１６７】
本発明の実施形態において、前述した方法は、ソフトウェア、ハードウェア、又はそれらの組み合わせとして実現してもよい。例えば、本発明による方法は、記憶媒体（例えば、移動端末の内部メモリ、フラッシュメモリ、ハードディスクなど）に保存することができ、プロセッサ（例えば、移動端末の内部マイクロプロセッサ）により実行されるソフトウェアプログラム内にコード又はコマンドで実現することができる。
【０１６８】
本発明の思想や基本的な特性から外れない限り、本発明は様々な形態で実現することができ、前述した実施形態は前述したいかなる詳細な記載内容によっても限定されず、特に言及がなければ、添付された請求の範囲に定義された思想や範囲内で広く解釈されるべきであり、請求の範囲内で行われるあらゆる変更及び変形、あるいはその均等物も添付された請求の範囲に含まれる。
【図１】
0005162710.tif 000002
【図２】
0005162710.tif 000003
【図３】
0005162710.tif 000004
【図４】
0005162710.tif 000005
【図５】
0005162710.tif 000006
【図６】
0005162710.tif 000007
【図７】
0005162710.tif 000008
【図８】
0005162710.tif 000009
【図９】
0005162710.tif 000010
【図１０】
0005162710.tif 000011
【図１１】
0005162710.tif 000012
【図１２】
0005162710.tif 000013
【図１３】
0005162710.tif 000014
【図１４】
0005162710.tif 000015
【図１５】
0005162710.tif 000016
【図１６】
0005162710.tif 000017
【図１７】
0005162710.tif 000018
【図１８】
0005162710.tif 000019
【図１９】
0005162710.tif 000020
【図２０】
0005162710.tif 000021